(57)【要約】【課題】  不正開栓防止機能を有しながら、この機能を適切に担保するため、リング体の係止が適切に行い得るキャップ及び瓶を提供する。【解決手段】  本発明のキャップ１は、瓶２０の首部２１に螺合して覆う蓋体２と、首部２１に形成されるネックリング２２に係止されるリング体３と、蓋体２とリング体３とを接続する接続部１０、１１とからなる。リング体３は、蓋体２の下方に位置し、蓋体２の外周面よりも外方に位置する側壁部４を有する。キャップ１は側壁部４を開口して複数形成された孔１５ａ、１５ｂに内周方向に傾斜して形成された爪１６ａ、１６ｂを有する不正開栓防止手段が形成されたものである。不正開栓防止機能を有しながら、爪１６ａ、１６ｂによってリング体３の係止を適切に行え、不正開栓防止機能を適切に担保することができる。【選択図】  図１
2019142525.tif 000002
【特許請求の範囲】
【請求項１】
瓶の首部に螺合して覆う蓋体と、該蓋体の下方に位置しつつ前記首部に形成されるネックリングに係止されるリング体と、前記蓋体と前記リング体とを接続する接続部とからなり、
前記リング体は、蓋体の下方から水平方向に伸びる天板部と、該天板部の外周端から垂下して延長する側壁部と、側壁部を開口して複数形成された孔に内周方向に傾斜して形成された爪を有し、
前記側壁部が前記蓋体の外周面よりも外方に位置することを特徴とする不正開栓防止用瓶キャップ。
【請求項２】
リング体は、その周方向の一部を切り欠いた切欠き部を有し、
接続部は、前記リング体の周方向に並んだ複数の位置で接続するものであって、開栓により破断する第１接続部と、前記切欠き部を基準に前記第１接続部よりも開栓回転方向後方に位置し、前記第１接続部よりもその径が太い第２接続部とからなることを特徴とする請求項１に記載の不正開栓防止用瓶キャップ。
【請求項３】
リング体の天板部の内周面が傾斜した当接部を有し、
前記天板部の内面は上方に向けて傾斜する傾斜面が形成されていることを特徴とする請求項１または２に記載の不正開栓防止用瓶キャップ。
【請求項４】
蓋体の下端から下方へ突出する突起であって、当該突起はリング体に形成された切欠き位置に形成され、
前記突起の突出長さは、前記蓋体と前記リング体との間の長さと略同一であることを特徴とする請求項１、２または３に記載の不正開栓防止用瓶キャップ。
【請求項５】
請求項１、２、３または４に記載のキャップにより首部が閉栓される瓶であって、
首部は開口側から順に、ネジ山と、このネジ山の外径と同じ若しくはそれ以上に外方に突出して首部全周に形成される段部と、蓋体の外径と同じ若しくはそれ以上に外方に突出する外径を有するネックリングと、を有することを特徴とする瓶。
【発明の詳細な説明】
【技術分野】
【０００１】
本発明は、不正開栓防止機能を有するキャップ、このキャップを取り付けて不正開栓防止機能が有効に働く瓶に関する。
【背景技術】
【０００２】
従来から不正開栓を防止するキャップは存在しており、例えば、特許文献１に示すように、無断開放防止用閉蓋具が知られている。この閉蓋具は、蓋体（瓶）の首部に初めて適用されるときに帯部が首部環に弾性的に保持され、開放するときに壊れやすい手段が千切れて壊れることで、帯部が蓋体の首部環に残ることで、無断開放を防止している。
【先行技術文献】
【特許文献】
【０００３】
【特許文献１】特開平２−７２０６４号公報
【発明の概要】
【発明が解決しようとする課題】
【０００４】
特許文献１に示す閉蓋具では、帯具と蓋部材の内径がほぼ同一であったため、蓋部材と帯具とを瓶に係合させるときに帯具が当たって外れてしまったり、適切に無断開放防止機能が発揮しないことがあった。そこで、蓋部材を瓶に係合させるときに帯具が瓶の雄ネジ部分にあたらずに、スムースに閉栓することができ、しっかりと無断開放防止機能が発揮されるキャップや瓶が望まれていた。
【０００５】
その他、瓶を廃棄処分するときに帯具を外す必要があり、瓶と帯具とで材料が異なるとごみの分別に手間がかかる。また、この帯部の突起部が瓶の首部環から外れてしまい、しっかりと係止することができなかった。
【０００６】
本願は、不正開栓防止機能を有しながら、スムースに閉栓でき、リング体の係止が適切に行い得る形態を提供することを目的とする。
【課題を解決するための手段】
【０００７】
本発明のキャップは、上記課題に鑑み、瓶の首部に螺合して覆う蓋体と、該蓋体の下方に位置しつつ前記首部に形成されるネックリングに係止されるリング体と、前記蓋体と前記リング体とを接続する接続部とからなり、前記リング体は、蓋体の下方から水平方向に伸びる天板部と、該天板部の外周端から垂下して延長する側壁部と、側壁部を開口して複数形成された孔に内周方向に傾斜して形成された爪を有し、前記側壁部が前記蓋体の外周面よりも外方に位置することを特徴とする。
【０００８】
また、リング体は、その周方向の一部を切り欠いた切欠き部を有し、接続部は、前記リング体の周方向に並んだ複数の位置で接続するものであって、開栓により破断する第１接続部と、前記切欠き部を基準に前記第１接続部よりも開栓回転方向後方に位置し、前記第１接続部よりもその径が太い第２接続部とからなることが好ましい。
【０００９】
また、リング体の天板部の内周面が傾斜した当接部を有し、前記天板部の内面は上方に向けて傾斜する傾斜面が形成されていることが好ましい。
【００１０】
また、蓋体の下端から下方へ突出する突起であって、当該突起はリング体に形成された切欠き位置に形成され、前記突起の突出長さは、前記蓋体と前記リング体との間の長さと略同一であることが好ましい。
【００１１】
また、上記記載のキャップにより首部が閉栓される瓶は、首部は開口側から順に、ネジ山と、このネジ山の外径と同じ若しくはそれ以上に外方に突出して首部全周に形成される段部と、蓋体の外径と同じ若しくはそれ以上に外方に突出する外径を有するネックリングと、を有することを特徴とするものである。
【発明の効果】
【００１２】
請求項１記載の発明は、リング体が蓋体よりも外周に突出することで、蓋体により閉栓するときに、リング体が瓶の首部に当たったりせず、スムースに閉栓することができる。また、ネックリングが外方に突出しており、リング体の係止を確実にすることができるとともに、リング体と蓋体とを外観から区別できることで閉栓をする者がネックリングとリング体との係止状態を確認し、不正開栓防止機能の把握を容易にしている。
【００１３】
請求項２記載の発明は、第１接続部よりも破断され難い第２接続部が開栓動作によって破断されないことで、蓋体とともにリング体を瓶から取り外すことができ、取り外した蓋体から第２接続部によってリング体を分離することで、ごみの分別廃棄を容易に行うことができる。
【００１４】
請求項３記載の発明は、当接部及び傾斜面の当接によってリング体を段部及びネックリングに位置決め・保持できるとともに、ネックリングを爪と傾斜面とで挟持して、リング体をネックリングに適切に係止させることができる。
【００１５】
請求項４記載の発明は、開栓動作の際にリング体の開栓回転方向の上部後端が突起に接触することで、この上部後端付近の弾性変形を制限して、この付近の接続部の開栓動作による破断を防止できる。
【００１６】
請求項５記載の発明は、首部に前述のキャップを取り付けることで、開栓動作の際にネックリングに弾接した爪の抵抗及び接続部の破断抵抗により不正開栓防止機能を適切に担保できる瓶を提供することができる。
【図面の簡単な説明】
【００１７】
【図１】本発明の第１の実施形態に係るキャップ及び瓶の斜視図である。
【図２】図１のキャップ及び瓶の正面図である。
【図３】図２のキャップを瓶に取り付けた正面図である。
【図４】図２のキャップの拡大底面図である。
【図５】図２のキャップのＡ−Ａ線断面図である。
【図６】図３の瓶から取り外したキャップの正面図である。
【図７】図３のキャップ及び瓶のＢ−Ｂ線断面図である。
【図８】図２のキャップ及び瓶の領域Ｃの拡大図である。
【図９】第２の実施形態に係るキャップ及び瓶の正面図である。
【図１０】第３の実施形態に係るキャップ及び瓶の領域Ｃの拡大図である。
【発明を実施するための形態】
【００１８】
本発明の実施形態について図面に基づいて詳細に説明する。
【００１９】
第１の実施形態は、図１に示すように、首部２１にネックリング２２を有する瓶２０と、首部２１を閉栓するキャップ１とからなる。なお、瓶２０を基準にキャップ１側を上方、底側を下方として説明するが、この上下方向は説明の便宜上のものであり、使用状態の上下を特定したり限定したりするものではない。
【００２０】
瓶２０は、内部が空洞の瓶本体２０ａと、瓶本体の上部の肩部２０ｂとからなる瓶形態であり、上部が開いた開口２１ａを有する首部２１を有する。首部２１はその外周面にネジ山２３が形成され、ネジ山２３の下方に、ネジ山２３と同程度に隆起し、首部２１の周囲に形成された段部２４が配置される。段部２４の下方には、段部２４より外方にリング状に突出したネックリング２２が形成される。
【００２１】
図１及び図２に示すように、ネックリング２２と段部２４は、いずれも首部２１の全周に環状にわたって形成され、段部２４の下面からネックリング２２の上面が連続して形成される。図２に示すように、段部２４の外径よりもネックリング２２の外径が大きく、瓶本体２０ａの外径はさらに大きい。ネックリング２２の上面は内周ほど上方に位置するよう傾斜している。
【００２２】
図１及び図２に示すように、キャップ１は、瓶２０の首部２１を覆う蓋体２と、蓋体２の下方に接続部１０、１１により接続されるリング体３とからなる。キャップ１は例えば合成樹脂材料からなる。
【００２３】
蓋体２は、開口２１ａを覆う頂部６と、首部２１の外周面を覆う筒部７とからなる。頂部６は円形の板状であり、外径が首部２１のネジ山２３の外径以上である。筒部７は頂部６と同心でその外周端から下方に延長する円筒形状である。筒部７の内周面には首部２１に螺合するネジ山を有し、図２及び３に示すように、キャップ１は上下に沿った軸周りに回転することで瓶２０に対して脱着自在としている。
【００２４】
リング体３は、蓋体２の外周面よりもさらに外側に位置する外周面である側壁部１４をもつリング状体であり、切欠き部４を周方向の一部に有した略Ｃ字状のものである。リング体３は、蓋体２の下方から水平方向で、外側に延びる天板部１３があり、その天板部１３の外周端から垂直方向であって下方に垂下して延長する側壁部１４を有する。この天板部１３を有することにより、リング体３の側壁部１４は、蓋体２の外周面よりも外側に位置することになる。
【００２５】
リング体３にはその一部を切り欠いた切欠き部４が形成され、この切欠き部４はリング体３の上端から下端にかけて形成される。具体的には、切欠き部４は、リング体３の天板部１３から側壁部１４の略２分の１程度の高さまで同じ幅で切り欠かれ、その後は下方に放射状に広がるように形成される。この切欠き部４が配置される位置であって、天板部１３の厚み部分の位置で、筒部７の下端から下方に突出する突起８が形成される。この突起８は、下方に向けて丸みを帯びた形状で、蓋体２とリング体３との間の隙間よりも若干小さい上下寸法で突出している。
【００２６】
蓋体２とリング体３とは、接続部１０、１１によって、接続される。この接続部１０、１１は、蓋体２の下面からリング体３の上面にかけて連続して形成される上方が細い錐形の部材である。図３に示すように、蓋体２とリング体３とは接続部１０、１１による接続がなされているが、これらの接続部１０、１１以外の部分は開放された状態（隙間）となる。蓋体２で閉栓した状態では、段部２４の上縁が接続部１０、１１よりも内周側に位置する。
【００２７】
図４、５に示すように、接続部１０、１１は、蓋体２とリング体３との間の隙間に配置され、両者を接続する。この接続部１０、１１は、突起８から開栓回転方向Ｓに沿って並ぶ複数の第１接続部１０、１０と、第１接続部１０よりも開栓回転方向Ｓの後方に位置し第１接続部１０よりも太い第２接続部１１とからなる。
【００２８】
図６に示すように、後述の不正開栓防止手段によりネックリング２２にリング体３が係止した状態で、蓋体２を開栓すると、接続部１０、１１が破断され、この破断抵抗によって不正開栓を防止している。第１接続部１０より第２接続部１１が太く形成されることで、蓋体２の開栓動作によって破断され難くなり、リング体３を蓋体２に接続した状態でキャップ１を瓶２０から取り外すことができる。これにより、リング体３を瓶２０から分離して容易に分別廃棄できるとともに、２度目以降の開閉を蓋体２のみで行える。
【００２９】
第１接続部１０、１０は、上方が細い錐形状とし、開栓回転方向Ｓに略等間隔で並び、例えば５つ有している。第１接続部１０の水平断面形状はキャップ１の内周側を円弧状に凹ませた半月形状であり、下端側ほど周方向及び外周に膨らむ。第１接続部１０は、図６に示すように、錐の上端を蓋体２からリング体３を分離する破断部位としている。
【００３０】
第２接続部１１は、図２及び図４に示すように、突起８の近傍に位置している。第２接続部１１は、第１接続部１０、１０同士の間隔と略同じ寸法で隣り合う第１接続部１０と離れている。第２接続部１１は第１接続部１０と略相似の断面半月形状の錐形状であり、第１接続部１０よりも太いことで、第１接続部１０よりも破断され難く、開栓動作で破断され難い。
【００３１】
第２接続部１１は、第１接続部１０と同様に、錐の上端を蓋体２からリング体３を分離する破断部位としている。第１接続部１０及び第２接続部１１の上端を破断部位としたことで、第１接続部１０及び第２接続部１１の破断片が筒部７の下端に残らず、リング体３を分離したキャップ１は蓋体２の下端の手触り及び外観を良好なものにすることができる。
【００３２】
リング体３は、前述のとおり、略水平方向の天板部１３と、天板部１３の外周端から垂下して延長した側壁部１４とからなる。リング体３は天板部１３の内周側で接続部１０、１１に接続している。図８に示すように、天板部１３には当接部１７が段部２４の外周に当接するように形成される。
【００３３】
この天板部１３により、リング体３の側壁部１４は、その外径及び内径が蓋体２の外径及び内径よりも外側に位置する。リング体３が蓋体２よりも外周に突出することで、蓋体２により閉栓するときに、リング体３が首部２１に当たったりせず、スムースにネックリング２２にリング体３を係止しやすくすることができ、リング体３を分離しやすくしている。さらに、リング体３と蓋体２とを外観から区別でき、不正開栓防止機能の把握を容易にしている。また、天板部１３は段部２４の外周のみならず、ネックリング２２の上面を覆うように位置する。
【００３４】
天板部１３は、図８に示すように、内周面側が傾斜した当接部１７を有するとともに、側壁部１４との間の内面側（下面側）は傾斜面１８が形成されている。当接部１７は下方ほど外周に位置するよう傾斜し、上方側の内周面が段部２４の外周面に当接する。傾斜面１８は内周ほど上方に位置するよう傾斜し、下面がネックリング２２の上面に当接する。当接部１７及び傾斜面１８の当接によってリング体３を段部２４及びネックリング２２に位置決め・保持して、ネックリング２２にリング体３を適切に係止している。傾斜面１８の傾斜及び切欠き部４によってキャップ１の過剰な締付の際に天板部１３とネックリング２２との接触位置をずらしながら弾性変形して、接続部１０、１１の破断を防止している。
【００３５】
側壁部１４は、天板部１３の外周端から下方に延長したものであり、図７及び８に示すように、その外径及び内径がネックリング２２及び筒部７の外径よりも大きく、胴部２０ｂの外径よりも小さい。側壁部１４は、上下寸法が所定の高さを有し、ネックリング２２の上下寸法よりも大きく、閉栓時にネックリング２２を覆うように位置する。閉栓時の側壁部１４は、ネックリング２２の外周端の曲面及び首部２１のネックリング２２よりも下方の外周面を覆うとともに、下端と肩部２０ｂとの上下に隙間を有している。
【００３６】
側壁部１４には不正開栓防止手段である爪１６ａ、１６ｂを有する。この爪１６ａ、１６ｂがネックリング２２の下面に係合することで、開栓動作の抵抗となり、不正開栓を防止している。具体的には、図４及び５に示すように、側壁部１４に開口して複数形成された孔１５ａ、１５ｂと、この孔１５ａ、１５ｂ内で内周方向に傾斜して形成された爪１６ａ、１６ｂとからなる。図７に示すように、爪１６ａ、１６ｂの上部がネックリング２２の下面に弾性的に接触することで、側壁部１４がネックリング２２に係止されるとともに、傾斜面１８と爪１６ａ、１６ｂとでネックリング２２を挟持する。この係止及び挟持によって、不正開栓防止機能を有しながら、ネックリング２２へのリング体３の係止を適切に行え、不正開栓防止機能を適切に担保できる。
【００３７】
孔１５ａ、１５ｂは、図４及び５に示すように、側壁部１４の円周方向に所定の間隔で並び、本例では例えば略等間隔で５つ形成されている。孔１５ａ、１５ｂは接続部１０、１０、１１の間に位置している。
【００３８】
爪１６ａは孔１５ａの下端から上方内周側に突出する長方形の板状に形成されている。爪１６ｂは孔１５ｂの下端から上方内周側に突出するとともに、突出先端を円周方向で隣り合う相手の爪１６ｂ側に延長した台形の板状に形成されている。隣り合う爪１６ｂ、１６ｂが共同して爪１６ａよりも大きな爪として開栓動作の際に強い抵抗を発揮して不正開栓を防止しつつ、側壁部１４の孔１５ｂ、１５ｂの間の部位がこの抵抗によるリング体３の破損や過剰な変形を防止している。
【００３９】
図５に示すように、リング体３をネックリング２２に係合した閉栓状態から開栓回転方向Ｓに回すことで、ネックリング２２に弾接する爪１６ａ、１６ｂが開栓動作の抵抗となる。キャップ１をさらに回すことで、爪１６ａ、１６ｂの接触抵抗によって第１接続部１０、１０を破断部位で破断しながらリング体３が弾性変形し、蓋体２がネジ山２３に沿って回り上方に移動し、キャップ１を瓶２０から取り外す（開栓する）ことができる。
【００４０】
本実施形態にかかる不正開栓防止機能は、天板部１３の存在により、側壁部１４が垂直方向に垂下することになり、例えば蓋体の下端から外側に傾斜して延長するような不正開栓防止機能のリング体と違って爪１６ａ、１６ｂによる係止を確実にすることができる。さらに、天板部１３を用いた不正開栓防止機能を有するキャップ１を用いることで、瓶２０のネックリング２２をネジ山２３よりも幅広に形成することができ、この機能を確実にすることができる。
【００４１】
図６に示すように、開栓後、開栓動作で破断されない第２接続部１１を捩じるように蓋体２に対してリング体３を動かすことで、第２接続部１１を破断部位で蓋体２から破断して、リング体３及び接続部１０、１１を蓋体２から分離できる。開栓動作の際には、リング体３の開栓回転方向Ｓの上部後端が突起８に接触することで、この上部後端付近の弾性変形や第２接続部１１の捩じれを制限して、開栓動作による第２接続部１１の破断を防止できる。
【００４２】
第２の実施形態は、図９に示すように、第１の実施形態よりもネックリング２２の外径が小さいものである。このネックリング２２の外径は、蓋体２の外径と略同じ寸法であり、蓋体２のリング体３の天板部１３の水平方向の寸法を若干短くするものである。
【００４３】
第３の実施形態は、図１０に示すように、天板部１３に当接部１７及び傾斜面１８を形成していないものである。天板部１３は内側面１３ａが段部２４の外周の近傍に位置するように、内周面が垂直な平面を有している。そして、天板部１３は、側壁部１４との間の下面がネックリング２２の上面の近傍に位置するように、水平な平面を有している。天板部１３の内側面及び下面の近傍配置によってリング体３を段部２４及びネックリング２２に位置決め・保持して、ネックリング２２にリング体３を適切に係止している。傾斜面１８の傾斜及び切欠き部４によってキャップ１の過剰な締付の際に天板部１３とネックリング２２との接触位置をずらしながら弾性変形して、接続部１０、１１の破断を防止している。
【符号の説明】
【００４４】
１：キャップ、２：蓋体、３：リング体、４：切欠き部、６：頂部、７：筒部、８：突起、１０：第１接続部、１１：第２接続部、１３：天板部、１４：側壁部、１５ａ、１５ｂ：孔、１６ａ、１６ｂ：爪、１７：当接部、１８：傾斜面、２０：瓶、２１：首部、２２：ネックリング、２３：瓶のネジ山、２４：段部、Ｓ：開栓回転方向。
【図１】
2019142525.tif 000003
【図２】
2019142525.tif 000004
【図３】
2019142525.tif 000005
【図４】
2019142525.tif 000006
【図５】
2019142525.tif 000007
【図６】
2019142525.tif 000008
【図７】
2019142525.tif 000009
【図８】
2019142525.tif 000010
【図９】
2019142525.tif 000011
【図１０】
2019142525.tif 000012